(57)【要約】【課題】  室内空気を浄化するための空気清浄機を本体の上面に備えた冷蔵庫の提供。【解決手段】  冷蔵庫の本体（２０）の一側に固定される空気清浄機（２００）は吸込口と吐出口とが設けられるケースとフィルタ部と送風装置を有し、フィルタ部は、吸込口を介して吸い込まれる空気を浄化する少なくとも一つのフィルタと、フィルタが内部に取り付けられ、ケース内部に着脱可能に取り付けられるフィルタバスケットと、フィルタバスケットに固定され、引き出し式に引き出され、ケースを選択的に開閉するバスケットドアと、フィルタバスケットにバスケットドアを固定させる締付手段と、フィルタバスケットの着脱を案内する案内手段と、フィルタバスケットがケース内部に取り付けられた状態を維持させるロック手段とから構成される。【選択図】      図２
2006023075.tif 000002
【特許請求の範囲】
【請求項１】
所定の貯蔵空間が形成される本体と、
前記本体の一側に固定され、少なくとも一つの吸込口と吐出口とが設けられるケースと、前記吸込口を介して吸い込まれる空気をフィルタリングするフィルタ部と、前記吸込口を介して空気を吸込み前記フィルタ部でフィルタリングされた空気を前記吐出口を介して吐出させる送風装置とが備えられる空気清浄機とを含み、
前記フィルタ部は、
前記吸込口を介して吸い込まれる空気を浄化する少なくとも一つのフィルタと、
前記フィルタが内部に取り付けられ、前記ケース内部に着脱可能に取り付けられるフィルタバスケットと、
前記フィルタバスケットに固定され、引き出し式に引き出され前記ケースを選択的に開閉するバスケットドアと、
前記フィルタバスケットに前記バスケットドアを締め付ける締付手段と、
前記フィルタバスケットの着脱を案内する案内手段と、
前記フィルタバスケットが前記ケース内部に取り付けられた状態を維持させるロック手段とから構成される、
ことを特徴とする空気清浄機を備えた冷蔵庫。
【請求項２】
前記締付手段は、
前記バスケットドアの裏面に設けられ、後面が開口される直六面体形状に後方に向けて突出している締付ボックスと、
前記締付ボックスの一側に設けられて弾性変形し、その先端に係止突起が設けられる少なくとも一つの締付フックと、
前記締付ボックスの内部に設けられ、後方に向けて延びている少なくとも一つの密着リブと、
前記フィルタバスケットの前面に設けられ、水平に前方に向けて延びており、前記締付ボックスの上部の内側面がその上面に密着される締付部と、
前記締付部の先端から下方に向けて延長され、前記締付フックに弾性取り付けられ、その裏面の縁部が前記係止突起に係止され、その前面が前記密着リブの先端に密着される締付片とから構成される、
ことを特徴とする請求項１に記載の空気清浄機を備えた冷蔵庫。
【請求項３】
前記バスケットドアは、前記フィルタバスケットに対して相対的に位置の移動が可能に取り付けられる、
ことを特徴とする請求項２に記載の空気清浄機を備えた冷蔵庫。
【請求項４】
前記フィルタバスケットに前記バスケットドアが取り付けられた状態で前記締付片の先端は、前記締付ボックスの下部の内側面から所定の距離だけ離隔され、前記締付部と締付片との両端は、前記締付ボックスの両側の内側面から所定の距離だけ離隔される、
ことを特徴とする請求項３に記載の空気清浄機を備えた冷蔵庫。
【請求項５】
前記案内手段は、
前記ケース内部の底面に前記フィルタバスケットの着脱方向に長く形成されるガイド溝と、
前記ガイド溝の内部に該当する前記ケース内部の底面に前記フィルタバスケットの着脱方向に長く形成され、フィルタバスケットの底面がその上面に支持される少なくとも一つの支持レールとから構成される、
ことを特徴とする請求項１に記載の空気清浄機を備えた冷蔵庫。
【請求項６】
前記ロック手段は、
前記ケースの前面とこれに密着される前記バスケットドアの裏面の何れか一方に設けられるプッシュラッチと、
前記ケースの前面とこれに密着される前記バスケットドアの裏面の他方に設けられ、前記プッシュラッチに挿入されるラッチフックと、を含む、
ことを特徴とする請求項１に記載の空気清浄機を備えた冷蔵庫。
【請求項７】
前記ロック手段は、前記ケース内部の一側には、前記フィルタバスケットが引き出される方向への弾性力をフィルタバスケットに与える弾性部材をさらに備える、
ことを特徴とする請求項６に記載の空気清浄機を備えた冷蔵庫。
【請求項８】
前記送風装置は、
回転軸が水平に設けられるクロスフローファンと、
前記クロスフローファンが内部に設けられるファンハウジングと、
前記クロスフローファンを駆動させる駆動モータと、から構成される、
ことを特徴とする請求項１に記載の空気清浄機を備えた冷蔵庫。
【請求項９】
前記ファンハウジングの両側面の上端または/及び下端及びこれに隣接する前後面の上端または下端の一部は、前記ケースの天井と底面とのうち、少なくとも何れか一面に直交して突出している側面ガイド部に密着され、
前記ファンハウジングの上面または/及び底面は、前記ケース内部の天井と底面とのうち、少なくとも何れか一面に突出している底面支持部に支持される、
ことを特徴とする請求項８に記載の空気清浄機を備えた冷蔵庫。
【請求項１０】
前記空気清浄機には、前記送風装置が駆動する過程で発生する振動が前記空気清浄機及び本体に伝達されることを防止する振動防止手段をさらに備える、
ことを特徴とする請求項９に記載の空気清浄機を備えた冷蔵庫。
【請求項１１】
前記振動防止手段は、
前記ファンハウジングと前記側面ガイド部及び底面支持部との間と、前記ファンハウジングと、前記ケース内部の天井または底面との間に設けられる振動吸収部材である、
ことを特徴とする請求項１０に記載の空気清浄機を備えた冷蔵庫。
【請求項１２】
前記空気清浄機が動作すると発光する表示装置をさらに含み、
前記表示装置の光は、前記吐出口と吐出口を選択的に開閉するデコパネルとの間の隙間を介して外部に伝達される、
ことを特徴とする請求項１に記載の空気清浄機を備えた冷蔵庫。
【請求項１３】
前記吐出口と、前記表示装置との間には、前記表示装置の光が外部に直接伝達されることを防止する遮蔽板が設けられる、
ことを特徴とする請求項１２に記載の空気清浄機を備えた冷蔵庫。
【請求項１４】
前記表示装置は、
少なくとも一つの発光ダイオードと、
前記発光ダイオードが固定される印刷回路基板とから構成されることを特徴とする請求項１３に記載の空気清浄機を備えた冷蔵庫。
【請求項１５】
前記印刷回路基板は、前記吐出口に隣接する前記ケース内部の底面に吐出口と平行な一直線に配置される少なくとも一つの挿入片にその下端が挿入される、
ことを特徴とする請求項１４に記載の空気清浄機を備えた冷蔵庫。
【請求項１６】
所定の貯蔵空間が形成される本体と、
前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置とを備える空気清浄機とを含み、
前記フィルタ部は、
前記吸込口を介して吸い込まれる空気を浄化する少なくとも一つのフィルタと、
前記フィルタが内部に取り付けられ、前記ケース内部に着脱可能に取り付けられるフィルタバスケットと、
前記フィルタバスケットに固定され、引き出し式に引き出され、前記ケースを選択的に開閉するバスケットドアと、
前記フィルタバスケットに前記バスケットドアを締め付ける締付手段とから構成され、
前記バスケットドアは、前記フィルタバスケットに対して相対的な位置の移動が可能に締め付けられる、
ことを特徴とする空気清浄機を備えた冷蔵庫。
【請求項１７】
前記締付手段は、
前記バスケットドアの裏面に設けられ、後面が開口される直六面体形状に後方に向けて突出している締付ボックスと、
前記締付ボックスの一側に設けられ、弾性変形し、その先端に係止突起が設けられる少なくとも一つの締付フックと、
前記締付ボックスの内部に設けられ、後方に向けて延びている少なくとも一つの密着リブと、
前記フィルタバスケットの前面に設けられ、水平に前方に向けて延びており、前記締付ボックスの上部の内側面がその上面に密着される締付部と、
前記締付部の先端から下方に向けて延長され、前記締付フックに弾性取り付けられ、その裏面の縁部が前記係止突起に係止され、その前面が前記密着リブの先端に密着される締付片と、から構成される、
ことを特徴とする請求項１６に記載の空気清浄機を備えた冷蔵庫。
【請求項１８】
所定の貯蔵空間が形成される本体と、
前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置とを備える空気清浄機とを含み、
前記フィルタ部は、
前記吸込口を介して吸い込まれる空気を浄化する少なくとも一つのフィルタと、
前記フィルタが内部に取り付けられ、前記ケース内部に着脱可能に取り付けられるフィルタバスケットと、
前記フィルタバスケットに固定され、引き出し式に引き出され、前記ケースを選択的に開閉するバスケットドアと、
前記フィルタバスケットが前記ケース内部に取り付けられた状態を維持させるロック手段とから構成され、
前記ロック手段は、
前記ケースの前面とこれに密着される前記バスケットドアの裏面の何れか一方に設けられるプッシュラッチと、
前記ケースの前面とこれに密着される前記バスケットドアの裏面の他方に設けられ、前記プッシュラッチに挿入されるラッチフックと、
前記ケース内部の一側には、前記フィルタバスケットが引き出される方向への弾性力をフィルタバスケットに与える弾性部材と、から構成される、
ことを特徴とする空気清浄機を備えた冷蔵庫。
【請求項１９】
所定の貯蔵空間が形成される本体と、
前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置と、前記空気清浄機には、前記送風装置が駆動する過程で発生する振動が前記空気清浄機及び本体に伝達されることを防止する振動防止手段が設けられる空気清浄機とを含み、
前記送風装置は、
回転軸が水平に設けられるクロスフローファンと、
前記クロスフローファンが内部に設けられるファンハウジングと、
前記クロスフローファンを駆動させる駆動モータと、から構成される、
ことを特徴とする空気清浄機を備えた冷蔵庫。
【請求項２０】
前記ファンハウジングの両側面の上端または/及び下端及びこれに隣接する前後面の上端または/及び下端の一部は、前記ケースの天井と底面とのうち、少なくとも何れか一面に直交して突出している側面ガイド部に密着され、
前記ファンハウジングの上面または/及び底面は、前記ケース内部の天井と底面とのうち、少なくとも何れか一面に突出している底面支持部に支持される、
ことを特徴とする請求項１９に記載の空気清浄機を備えた冷蔵庫。
【請求項２１】
前記振動防止手段は、
前記ファンハウジングと、前記側面ガイド部及び底面支持部との間と、前記ファンハウジングと前記ケース内部の天井または底面との間に設けられる振動吸収部材である、
ことを特徴とする請求項２０に記載の空気清浄機を備えた冷蔵庫。
【請求項２２】
所定の貯蔵空間が形成される本体と、
前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置と、動作状態を外部に表示する表示装置が設けられる空気清浄機とを含み、
前記空気清浄機が動作すると、前記表示装置が発光して前記吐出口と吐出口を選択的に開閉するデコパネルとの間の隙間を介して表示装置の光が外部に伝達される、
ことを特徴とする空気清浄機を備えた冷蔵庫。
【請求項２３】
前記吐出口と前記表示装置との間には、前記表示装置の光が外部に直接伝達されることを防止する遮蔽板が設けられる、
ことを特徴とする請求項２２に記載の空気清浄機を備えた冷蔵庫。
【請求項２４】
前記表示装置は、
少なくとも一つの発光ダイオードと、
前記発光ダイオードが固定される印刷回路基板とから構成される、
ことを特徴とする請求項２３に記載の空気清浄機を備えた冷蔵庫。
【発明の詳細な説明】
【技術分野】
【０００１】
本発明は、冷蔵庫に関し、より詳しくは、室内空気を浄化するための空気清浄機を本体の上面に備えた冷蔵庫に関する。
【背景技術】
【０００２】
冷蔵庫は、食品を冷蔵または冷凍して新鮮度を保つ状態で長期間保管するための電子製品である。本明細書では、冷凍室と、冷蔵室とが左右に並んで設けられるサイドバイサイド型(side-by-side type)を参考として説明する。
【０００３】
図１には、従来の技術による空気清浄機を備えた冷蔵庫を示している。図示のように、冷蔵庫１０の上面には、空気清浄機１００が着脱可能に設けられる。前記空気清浄機１００は、ケース１１０と、フィルタ部１２０と、送風装置１３０と、陰イオン発生装置１４０とを備えている。前記ケース１１０には、空気が出入りする吸込口Ｉと、吐出口Ｏとが設けられる。前記フィルタ部１２０は、前記吸込口Ｉを介して吸い込まれる空気をフィルタリングする。前記送風装置１３０は、前記吸込口Ｉを介して空気を吸込み、前記フィルタ部１２０でフィルタリングされた空気を前記吐出口Ｏを介して吐出する。前記陰イオン発生装置１４０は、前記吐出口Ｏを介して空気と共に吐出される陰イオンを発生する。
【０００４】
前記ケース１１０は、送風ケース１１２と、フィルタケース１１６とから構成される。前記送風ケース１１２は、両端が開口される薄い六面体形状からなる。前記フィルタケース１１６は、前記送風ケース１１２の両端にそれぞれ連通される。前記送風ケース１１２の前面には、前記吐出口Ｏが設けられる。また、前記送風ケース１１２の内部に前記送風装置１３０と、陰イオン発生装置１４０とが設けられる。
【０００５】
また、前記送風ケース１１２の底面には、一対のガイド溝１１０ａ、１１０ｂが形成される。前記ガイド溝１１０ａ、１１０ｂには、前記冷蔵庫１０の上面に設けられる一対のガイドレール１０ａ、１０ｂが挿入される。
【０００６】
一方、前記フィルタケース１１６の外側端部には、それぞれ吸込口Ｉが設けられる。また、前記フィルタケース１１６の内部には、前記フィルタ部１２０が着脱可能に設けられる。前記フィルタケース１１６は、前記送風ケース１１２に嵌め込まれた状態でそれぞれ左右に移動可能に設けられる。かつ、前記フィルタケース１１６の底面には、一対の支持部１１６ａが設けられる。前記支持部１１６ａは、前記送風ケース１１２と水平を保てるように、前記冷蔵庫１０の上面に支持される。
【０００７】
また、前記吸込口Ｉには、吸込グリルＧが取り付けられる。前記吸込グリルＧには、篩網が設けられる。前記篩網は、前記吸込口Ｉを介して吸い込まれる空気中のごみを篩い分ける。かつ、前記フィルタケース１１６の前面には、フィルタ装着開口１１６ｈと、ガイドリブ１１６Ｌとがそれぞれ設けられる。それらの前記フィルタ装着開口１１６ｈと、ガイドリブ１１６Ｌとは、前記フィルタ部１２０の着脱のためのものである。
【０００８】
前記フィルタ部１２０は、フィルタ取付部１２６と、抗菌フィルタ１２２と、集塵フィルタ１２３と、脱臭フィルタ１２４とから構成される。前記フィルタ取付部１２６は、上面が開口しているほぼ直六面体形状からなる。前記フィルタ取付部１２６は、前記フィルタ装着開口１１６ｈを介して前記フィルタケース１１６の内部に組み込まれる。
【０００９】
図示していないが、前記フィルタケース１１６または/及び前記フィルタ取付部１２６には固定手段が設けられる。前記固定手段は、前記フィルタ取付部１２６が前記フィルタケース１１６の内部に組み込まれた状態から勝手に取り外れることを防止する。
【００１０】
そして、前記フィルタ取付部１２６は、前記ガイドリブ１１６Ｌによってガイドされる。また、前記フィルタ取付部１２６の内部には、複数のガイド部１２８ａが設けられる。前記ガイド部１２８ａは、前記フィルタ１２２、１２３、１２４を固定するためのものである。
【００１１】
前記フィルタ取付部１２６の内部には、抗菌フィルタ１２２と、集塵フィルタ１２３と、脱臭フィルタ１２４とがその内側からそれぞれ順次設けられる。前記抗菌フィルタ１２２、集塵フィルタ１２３、及び脱臭フィルタ１２４は、空気中の各種の細菌、ごみ及び匂いを取り除く役割を担う。
【００１２】
前記送風装置１３０は、送風ファン（図示せず）と、ファンハウジング１３２と、駆動モータ（図示せず）とから構成される。前記送風ファンは、軸方向に吸込まれた空気を放射状に吐出する軸流ファンが使用される。前記ファンハウジング１３２の内部には、前記送風ファンが設けられる。前記駆動モータは、前記送風ファンを駆動させる役割を担う。前記ファンハウジング１３２は、前記送風ケース１１２の底面に設けられるボス（図示せず）にスクリュー（図示せず）によって固定される。また、前記駆動モータにより前記送風ファンが駆動されると、前記ファンハウジング１３２の下部を通って空気が吸込まれて前方に吐出される。
【００１３】
また、前記送風ケース１１２の内部には、エアガイド１３４が設けられる。前記エアガイド１３４は、前記送風装置１３０により、前記吸込口Ｉを介して吸込まれた空気が前記吐出口Ｏを介して吐出されるように案内する。そして、前記送風ケース１１２の内部は、前記エアガイド１３４により、吸込み流路Ａと、吐出流路Ｂとに区切られる。
【００１４】
一方、前記陰イオン発生装置１４０は、前記送風装置１３０に隣接する前記吐出流路Ｂの一側に設けられる。前記陰イオン発生装置１４０で発生した陰イオンは、前記送風装置１３０により送風された空気と共に前記吐出口Ｏを介して外部に吐出される。
【００１５】
そして、前記送風ケース１１２の前面一側には、表示部１５２が設けられる。前記表示部１５２は、前記空気清浄機１００の動作状態を外部に表示する役割を担う。また、前記表示部１５２に隣接する前記送風ケース１１２の前面一側には、操作部１５４が設けられる。前記操作部１５４は、前記空気清浄機１００を動作させるために、各種の操作信号を入力される。
【００１６】
しかし、このように構成される従来の技術による空気清浄機を備えた冷蔵庫には、次のような問題点があった。
【００１７】
前記フィルタ取付部１２６が前記フィルタケース１１６に所定の位置に取り付けられなかったり、前記フィルタ取付部１２６の自体の捩れなどにより、フィルタ取付部１２６の前面がフィルタケース１１６の前面に対して傾いたりすることもある。しかし、従来には、このような場合が発生しても前記フィルタ取付部１２６の相対的な傾きを補正することができず、前記空気清浄機１００の前面外観が悪くなることもある。
【００１８】
また、前記フィルタ１２２、１２３、１２４を取り替えたり、洗浄したりするためには、前記フィルタ取付部１２６を前記フィルタケース１１６の外部に引き出さなければならない。このために、前記フィルタ取付部１２６を前記フィルタケース１１６の内部に組み込まれた状態で固定する固定手段を取り外す。そして、前記フィルタ取付部１２６を前記フィルタケース１１６の外部に引き出す。すなわち、前記フィルタケース１１６と、フィルタ取付部１２６との両方が互いに固定された状態を解除する作業や、前記フィルタ取付部１２６を前記フィルタケース１１６から引き出す作業、全て２回の作業を必要とする。
【００１９】
そして、前記吸込口Ｉを介して吸込まれた空気が前記送風ファンの軸方向である前記ファンハウジング１３２の底面に流入される。すなわち、前記吸込口Ｉを介して吸込まれた空気が前記ファンハウジング１３２に流入される流路が比較的長く形成される。よって、前記空気清浄機１００の効率が低下する。
【００２０】
一方、前記ファンハウジング１３２の底面に流入された空気は、ファンハウジング１３２の前面を通って排出される。また、前記ファンハウジング１３２の前面に排出される空気は、前記吐出口Ｏを介して室内に吐出される。このとき、前記ファンハウジング１３２の前面に排出される空気は、前記吐出口Ｏの中央向きに流動される。従って、前記吐出口Ｏを介して排出される空気が前記エアガイド１３４によって案内されても、室内に均一に吐出されないという欠点が発生することもある。
【００２１】
また、前記ファンハウジング１３２は、前記送風ケース１１２の底面に設けられるボスにスクリューによって固定される。よって、前記ファンハウジング１３２の内部に設けられる送風ファンが駆動して発生する振動がファンハウジング１３２とボスとを介して前記空気清浄機１００及び冷蔵庫に伝達される。結局、前記送風装置１３０の駆動時に発生する振動により、騒音が発生することもある。また、このような振動により、前記空気清浄機１００または冷蔵庫を構成する部品が損傷したり、取り付けられた部分が緩くなり、製品の耐久性が低下するという問題点が発生することもある。
【００２２】
そして、前記表示部１５２が前記ケース１１０の前面一側に設けられる。ところで、前記ケース１１０の前面に対して前記表示部１５２が占め得る大きさは少なくともケース１１０の前面で前記吐出口Ｏなどが占める面積を除いた部分に限定される。従って、前記冷蔵庫から遠く離れた位置で前記表示部１５２を介して前記空気清浄機１００が動作するか否かを容易に確認できなくなるという欠点があった。
【発明の開示】
【発明が解決しようとする課題】
【００２３】
本発明は、上記問題点に鑑みなされたものであり、製品の前面の外観を良好にすることができるように構成される空気清浄機を備えた冷蔵庫を提供することを目的とする。
【００２４】
本発明は、フィルタの取り替えが容易に行われるように構成される空気清浄機を備えた冷蔵庫を提供することを他の目的とする。
【００２５】
本発明は、送風装置に流入される空気の流路が比較的短く形成されるように構成される空気清浄機を備えた冷蔵庫を提供することをさらに他の目的とする。
【００２６】
本発明は、浄化された空気が均一に吐出されるように構成される空気清浄機を備えた冷蔵庫を提供することをさらに他の目的とする。
【００２７】
本発明は、空気清浄機の動作過程で発生する振動を最小化できるように構成される空気清浄機を備えた冷蔵庫を提供することをさらに他の目的とする。
【００２８】
本発明は、冷蔵庫から遠く離れた位置でも空気清浄機が動作するか否かを容易に確認できるように構成される空気清浄機を備えた冷蔵庫を提供することをさらに他の目的とする。
【課題を解決するための手段】
【００２９】
上記の目的を達成するため、本発明による空気清浄機を備えた冷蔵庫は、所定の貯蔵空間が形成される本体と、前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置とが備えられる空気清浄機とを含み、前記フィルタ部は、前記吸込口を介して吸い込まれる空気を浄化する少なくとも一つのフィルタと、前記フィルタが内部に取り付けられ、前記ケース内部に着脱可能に取り付けられるフィルタバスケットと、前記フィルタバスケットに固定され、引き出し式に引き出され前記ケースを選択的に開閉するバスケットドアと、前記フィルタバスケットに前記バスケットドアを締め付ける締付手段と、前記フィルタバスケットの着脱を案内する案内手段と、前記フィルタバスケットが前記ケース内部に取り付けられた状態を維持させるロック手段とから構成されることを特徴とする。
【００３０】
また、前記締付手段は、前記バスケットドアの裏面に設けられ、後面が開口される直六面体形状に後方に向けて突出している締付ボックスと、前記締付ボックスの一側に設けられて弾性変形し、その先端に係止突起が設けられる少なくとも一つの締付フックと、前記締付ボックスの内部に設けられ、後方に向けて延びている少なくとも一つの密着リブと、前記フィルタバスケットの前面に設けられ、水平に前方に向けて延びており、前記締付ボックスの上部の内側面がその上面に密着される締付部と、前記締付部の先端から下方に向けて延長され、前記締付フックに弾性取り付けられ、その裏面の縁部が前記係止突起に係止され、その前面が前記密着リブの先端に密着される締付片とから構成されることを特徴とする。
【００３１】
また、前記バスケットドアは、前記フィルタバスケットに対して相対的に位置の移動が可能に取り付けられることを特徴とする。
【００３２】
また、前記フィルタバスケットに前記バスケットドアが取り付けられた状態で前記締付片の先端は、前記締付ボックスの下部の内側面から所定の距離だけ離隔され、前記締付部と締付片との両端は、前記締付ボックスの両側の内側面から所定の距離だけ離隔されることを特徴とする。
【００３３】
また、前記案内手段は、前記ケース内部の底面に前記フィルタバスケットの着脱方向に長く形成されるガイド溝と、前記ガイド溝の内部に該当する前記ケース内部の底面に前記フィルタバスケットの着脱方向に長く形成され、フィルタバスケットの底面がその上面に支持される少なくとも一つの支持レールとから構成されることを特徴とする。
【００３４】
また、前記ロック手段は、前記ケースの前面とこれに密着される前記バスケットドアの裏面の何れか一方に設けられるプッシュラッチと、前記ケースの前面とこれに密着される前記バスケットドアの裏面の他方に設けられ、前記プッシュラッチに挿入されるラッチフックとを含むことを特徴とする。
【００３５】
また、前記ロック手段は、前記ケース内部の一側には、前記フィルタバスケットが引き出される方向への弾性力をフィルタバスケットに与える弾性部材をさらに備えることを特徴とする。
【００３６】
また、前記送風装置は、回転軸が水平に設けられるクロスフローファンと、前記クロスフローファンが内部に設けられるファンハウジングと、前記クロスフローファンを駆動させる駆動モータとから構成されることを特徴とする。
【００３７】
また、前記ファンハウジングの両側面の上端または/及び下端及びこれに隣接する前後面の上端または下端の一部は、前記ケースの天井と底面とのうち、少なくとも何れか一面に直交して突出している側面ガイド部に密着され、前記ファンハウジングの上面または/及び底面は、前記ケース内部の天井と底面とのうち、少なくとも何れか一面に突出している底面支持部に支持されることを特徴とする。
【００３８】
また、前記空気清浄機には、前記送風装置が駆動する過程で発生する振動が前記空気清浄機及び本体に伝達されることを防止する振動防止手段をさらに備えることを特徴とする。
【００３９】
また、前記振動防止手段は、前記ファンハウジングと前記側面ガイド部及び底面支持部との間と、前記ファンハウジングと、前記ケース内部の天井または底面との間に設けられる振動吸収部材であることを特徴とする。
【００４０】
また、前記空気清浄機が動作すると発光する表示装置をさらに含み、前記表示装置の光は、前記吐出口と吐出口を選択的に開閉するデコパネルとの間の隙間を介して外部に伝達されることを特徴とする。
【００４１】
また、前記吐出口と、前記表示装置との間には、前記表示装置の光が外部に直接伝達されることを防止する遮蔽板が設けられることを特徴とする。
【００４２】
また、前記表示装置は、少なくとも一つの発光ダイオードと、前記発光ダイオードが固定される印刷回路基板とから構成されることを特徴とする。
【００４３】
また、前記印刷回路基板は、前記吐出口に隣接する前記ケース内部の底面に吐出口と平行な一直線に配置される少なくとも一つの挿入片にその下端が挿入されることを特徴とする。
【００４４】
また、本発明による空気清浄機を備えた冷蔵庫は、所定の貯蔵空間が形成される本体と、前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置とを備える空気清浄機とを含み、前記フィルタ部は、前記吸込口を介して吸い込まれる空気を浄化する少なくとも一つのフィルタと、前記フィルタが内部に取り付けられ、前記ケース内部に着脱可能に取り付けられるフィルタバスケットと、前記フィルタバスケットに固定され、引き出し式に引き出され、前記ケースを選択的に開閉するバスケットドアと、前記フィルタバスケットに前記バスケットドアを締め付ける締付手段とから構成され、前記バスケットドアは、前記フィルタバスケットに対して相対的な位置の移動が可能に締め付けられることを特徴とする。
【００４５】
また、前記締付手段は、前記バスケットドアの裏面に設けられ、後面が開口される直六面体形状に後方に向けて突出している締付ボックスと、前記締付ボックスの一側に設けられ、弾性変形し、その先端に係止突起が設けられる少なくとも一つの締付フックと、前記締付ボックスの内部に設けられ、後方に向けて延びている少なくとも一つの密着リブと、前記フィルタバスケットの前面に設けられ、水平に前方に向けて延びており、前記締付ボックスの上部の内側面がその上面に密着される締付部と、前記締付部の先端から下方に向けて延長され、前記締付フックに弾性取り付けられ、その裏面の縁部が前記係止突起に係止され、その前面が前記密着リブの先端に密着される締付片とから構成されることを特徴とする。
【００４６】
また、本発明による空気清浄機を備えた冷蔵庫は、所定の貯蔵空間が形成される本体と、前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置とを備える空気清浄機とを含み、前記フィルタ部は、前記吸込口を介して吸い込まれる空気を浄化する少なくとも一つのフィルタと、前記フィルタが内部に取り付けられ、前記ケース内部に着脱可能に取り付けられるフィルタバスケットと、前記フィルタバスケットに固定され、引き出し式に引き出され、前記ケースを選択的に開閉するバスケットドアと、前記フィルタバスケットが前記ケース内部に取り付けられた状態を維持させるロック手段とから構成され、前記ロック手段は、前記ケースの前面とこれに密着される前記バスケットドアの裏面の何れか一方に設けられるプッシュラッチと、前記ケースの前面とこれに密着される前記バスケットドアの裏面の他方に設けられ、前記プッシュラッチに挿入されるラッチフックと、前記ケース内部の一側には、前記フィルタバスケットが引き出される方向への弾性力をフィルタバスケットに与える弾性部材とから構成されることを特徴とする。
【００４７】
また、本発明による空気清浄機を備えた冷蔵庫は、所定の貯蔵空間が形成される本体と、前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置と、前記空気清浄機には、前記送風装置が駆動する過程で発生する振動が前記空気清浄機及び本体に伝達されることを防止する振動防止手段が設けられる空気清浄機とを含み、前記送風装置は、回転軸が水平に設けられるクロスフローファンと、前記クロスフローファンが内部に設けられるファンハウジングと、前記クロスフローファンを駆動させる駆動モータとから構成されることを特徴とする。
【００４８】
また、前記ファンハウジングの両側面の上端または/及び下端及びこれに隣接する前後面の上端または/及び下端の一部は、前記ケースの天井と底面とのうち、少なくとも何れか一面に直交して突出している側面ガイド部に密着され、前記ファンハウジングの上面または/及び底面は、前記ケース内部の天井と底面とのうち、少なくとも何れか一面に突出している底面支持部に支持されることを特徴とする。
【００４９】
また、前記振動防止手段は、前記ファンハウジングと、前記側面ガイド部及び底面支持部との間と、前記ファンハウジングと前記ケース内部の天井または底面との間に設けられる振動吸収部材であることを特徴とする。
【００５０】
また、本発明による空気清浄機を備えた冷蔵庫は、所定の貯蔵空間が形成される本体と、前記本体の一側に固定され、少なくとも一つの吸込口と、吐出口とが設けられるケースと、前記吸込口を介して吸い込まれる空気をフィルタリングするフィルタ部と、前記吸込口を介して空気を吸込み、前記フィルタ部でフィルタリングされた空気を前記吐出口を介して吐出させる送風装置と、動作状態を外部に表示する表示装置が設けられる空気清浄機とを含み、前記空気清浄機が動作すると、前記表示装置が発光して前記吐出口と吐出口を選択的に開閉するデコパネルとの間の隙間を介して表示装置の光が外部に伝達されることを特徴とする。
【００５１】
また、前記吐出口と前記表示装置との間には、前記表示装置の光が外部に直接伝達されることを防止する遮蔽板が設けられることを特徴とする。
【００５２】
また、前記表示装置は、少なくとも一つの発光ダイオードと、前記発光ダイオードが固定される印刷回路基板とから構成されることを特徴とする。
【発明の効果】
【００５３】
このような本発明による空気清浄機を備えた冷蔵庫によれば、次のような効果が期待できる。
【００５４】
先ず、本発明では、空気清浄機の内部に取り付けられるフィルタバスケットを引き出すためのバスケットドアが前記フィルタバスケットに対して上下左右に位置補正が可能となるように構成される。よって、前記空気清浄機の前面外観を良好にすることができる。
【００５５】
また、本発明では、バスケットドアを押圧する動作により、フィルタが取り付けられたフィルタバスケットの引き出しが行われる。よって、より簡単にフィルタを取り替えたり、洗浄したりすることが可能となる。
【００５６】
そして、本発明では、前記空気清浄機の内外部に空気を吸込み、吐出させる送風ファンとしてクロスフローファンが使用される。よって、前記空気清浄機の両側に設けられる吸込口を介して空気清浄機の内部に室内の空気が吸込まれ、前記空気清浄機の前面に設けられる吐出口を介して室内に空気が吐出される。よって、前記空気清浄機により空気を浄化するための空気の流路が相対的に短く形成することが可能となり、空気の吸込み及び吐出効率が向上する。
【００５７】
また、前記クロスフローファンの形状によって空気を排出する排出部も左右に長く形成される。よって、前記空気清浄機の吐出口を介して外部に吐出される空気が左右に広く伝達されることにより、浄化された空気が均一に吐出されるようになる。
【００５８】
そして、前記クロスフローファン及び駆動モータの動作過程で発生する振動が外部に伝達されることが振動吸収部により防止される。よって、前記空気清浄機の動作により室内に騒音が発生したり、空気清浄機または冷蔵庫の耐久性が低下することを防止することが可能となる。
【００５９】
一方、前記空気清浄機が動作すると発光する発光ダイオードが発光する。また、前記発光ダイオードの光は、空気が吐出される吐出口と、これを開閉するデコパネルの間の隙間を介して外部に伝達される。よって、前記空気清浄機の表示部を確認しなくても空気清浄機が動作するか否かを確認することが可能となる。
【発明を実施するための最良の形態】
【００６０】
以下、本発明の好ましい実施の形態を、添付図面に基づいて詳しく説明する。
図２及び図３には、本発明による空気清浄機を備えた冷蔵庫の好ましい実施例を構成する空気清浄機の内部と底面とをそれぞれ示し、図４及び図５には、図２に示す実施例を構成するデコパネルがケースに連結される構造を示し、図６には、図２に示す実施例を構成するフィルタとフィルタバスケットとを示し、図７及び図８には、図２に示す実施例を構成するフィルタバスケットとバスケットドアとが取り付けられる構造を示し、図９及び図１０には、図２に示す実施例を構成するフィルタバスケットがケース内部に取り付けられる構造を示し、図１１Ａ及び図１１（ｂ）には、図２に示す実施例を構成するファンハウジングがケースに取り付けられる構造を示し、図１２及び図１３には、図２に示す実施例を構成する発光ダイオードと印刷回路基板とがケース内部に取り付けられる構造を示し、図１４には、図３に示す取付ブラケットを示し、図１５には、図２に示す実施例の内部で空気が流動する状態を示す。
【００６１】
図２及び図３に示すように、冷蔵庫本体２０の上面に室内の空気を浄化するための空気清浄機２００が備えられる。前記空気清浄機２００の外観をケース２１０が形成する。前記ケース２１０は、送風ケース２１２と、一対のフィルタケース２１６とから構成される。前記送風ケース２１２には、濾過された空気が吐出される吐出口Ｏが設けられる。また、前記フィルタケース２１６には、前記ケース２１０の内部に空気が吸い込まれる吸込口Ｉがそれぞれ設けられる。
【００６２】
前記送風ケース２１２は、上面、前面及び両端が開口している薄い六面体形状からなる。前記送風ケース２１２の上面は、ケースカバー（図示せず）によって遮蔽される。また、前記送風ケース２１２の底面には、締付部２１２ａと、複数の締付ボス２１２ｂとが設けられる。
【００６３】
前記締付部２１２ａには、後述する取付ブラケット２６０が取り付けられる。前記締付部２１２ａは、ほぼ前記送風ケース２１２の底面前端中央に設けられる。また、前記締付ボス２１２ｂには、後述するデコハウジング２５０の締付穴２５４ａを貫通した締付具（図示せず）が締め付けられる。
【００６４】
前記吐出口Ｏは、前記送風ケース２１２の前面に設けられるデコハウジング２５０の前面部に形成される。また、前記吐出口Ｏを選択的に開閉するために、デコパネル２１８が設けられる。前記デコパネル２１８は、前記吐出口Ｏに対応する形状であって、吐出口Ｏよりも相対的に左右に広く形成される。図１５に示すように、前記デコパネル２１８は、前記送風ケース２１２の前後方に移動して前記吐出口Ｏを開閉させる。
【００６５】
そして、前記デコパネル２１８の動作のために、図４に示すように、一対のステップモータＭと、ギアＧ１と、ラックＲとが備えられる。前記ステップモータＭは、前記デコパネル２１８を移動させるための駆動力を提供する。前記ステップモータＭは、前記吐出口Ｏに隣接する前記送風ケース２１２の前端両側に固定される。また、前記ギアＧ１は、前記ステップモータＭの駆動軸に連結された状態で前記ラックＲと歯合している。前記ラックＲは、前記デコパネル２１８の裏面両側に設けられる。前記ラックＲは、前記吐出口Ｏの外側に該当するデコパネル２１８の裏面にほぼ直交して後方に延びている。
【００６６】
また、前記ラックＲの一側には、係止フックＨが設けられる。前記係止フックＨは、前記ステップモータＭの駆動により、前記ケース２１０の前方に移動する前記デコパネル２１８がケース２１０から完全に取り外されることを防止する。前記係止フックＨは、前記ラックＲの一側から後方に所定の長さだけ延びている。
【００６７】
前記係止フックＨの一端は、前記デコパネル２１８の裏面に隣接する前記ラックＲの前端に固定される。また、前記係止フックＨの先端は、前記ケース２１０の後方に延びている。よって、前記係止フックＨは、前記ラックＲに対して左右に所定の弾性を有することになる。かつ、前記係止フックＨの先端には、係止突起ｈが設けられる。前記係止突起ｈには、後述するストッパーＳの先端に係止される。
【００６８】
一方、再び、図２を参照して、前記フィルタケース２１６は、前後方に長く形成される直六面体形状からなっている。また、前記フィルタケース２１６は、前記送風ケース２１２の両端にそれぞれ左右に移動可能に取り付けられる。前記フィルタケース２１６は、上面、前面及び両端が開口される。前記フィルタケース２１６の上面は、ケースカバー（図示せず）によってそれぞれ遮蔽される。
【００６９】
前記フィルタケース２１６のそれぞれの内側端部は、前記送風ケース２１２の開口された一端と連通している。また、前記フィルタケース２１６のそれぞれの外側端部には、前記吸込口Ｉが設けられる。また、前記吸込口Ｉには、吸込グリルＧがそれぞれ取り付けられる。前記吸込グリルＧには、篩網が設けられる。前記篩網は、前記吸込口Ｉを介して吸い込まれる空気中に含まれたごみを篩い分ける。
【００７０】
また、図３に示すように、前記フィルタケース２１６の底面にも締付部２１６ａが設けられる。前記締付部２１６ａには、取付ブラケット２６０が取り付けられる。前記締付部２１６ａは、前記送風ケース２１２の締付部２１２ａと比較して相対的に後方に該当する前記フィルタケース２１６の底面後端にそれぞれ設けられる。
【００７１】
前記フィルタケース２１６の底面の外側端部及び後端には、支持部２１６ｂが設けられる。前記支持部２１６ｂは、前記空気清浄機２００が前記本体２０の上面に取り付けられた状態でその下端が本体２０の上面に密着して前記ケース２１０を支持している。
【００７２】
前記フィルタケース２１６には、開口された前面を貫通して後述するフィルタ部２２０が着脱可能に取り付けられる。そして、前記フィルタケース２１６の内側端部の下端には、少なくとも一つの締付片２１７が設けられる。前記締付片２１７は、前記送風ケース２１２とフィルタケース２１６とを固定するためのものである。
【００７３】
前記締付片２１７は、前記フィルタケース２１６の底面の内側端部から水平に所定の長さだけ延びている。また、前記締付片２１７には、締付穴２１７ａがそれぞれ設けられる。前記締付穴２１７ａを貫通した締付具（図示せず）は、前記送風ケース２１２の底面に設けられる複数の締付穴（図示せず）に選択的に締め付けられる。よって、前記本体２０の上面の左右幅により前記ケース２１０の左右幅を調節することが可能となる。
【００７４】
再び、図２を参照して、前記吸込口Ｉを介して前記ケース２１０の内部に吸い込まれる空気を浄化するために、フィルタ部２２０が設けられる。前記フィルタ部２２０は、前記フィルタケース２１６の開口された前面を介して前記フィルタケース２１６の内部に取り付けられる。
【００７５】
前記フィルタ部２２０は、複数のフィルタ２２２、２２３、２２４及び２２５と、フィルタバスケット２２８と、バスケットドア２２６とから構成される。前記フィルタ２２２、２２３、２２４及び２２５は、所定の厚さを有するパネル状に成型される。前記フィルタ２２２、２２３、２２４及び２２５は、前記フィルタバスケット２２８の内部に取り付けられている。前記フィルタバスケット２２８は、前記フィルタケース２１６の内部に着脱可能に取り付けられる。前記バスケットドア２２６は、前記フィルタバスケット２２８に取り付けられて引き出し式に引き出される。
【００７６】
一方、図６に示すように、前記フィルタ２２２、２２３、２２４及び２２５は、抗菌フィルタ２２２と、第１及び第２の集塵フィルタ２２３及び２２４、脱臭フィルタ２２５とから構成される。前記抗菌フィルタ２２２と、第１集塵フィルタ２２３と、第２集塵フィルタ２２４と、脱臭フィルタ２２５との順に前記吸込口Ｉに隣接するように設けられる。
【００７７】
前記抗菌フィルタ２２２は、空気中の各種の細菌を除去する抗菌作用を行う。前記第１及び第２集塵フィルタ２２３及び２２４は、前記抗菌フィルタ２２２を通過した空気中に含まれた異なる大きさのごみを取り除く。また、前記脱臭フィルタ２２５は、前記抗菌フィルタ２２２と第１及び第２集塵フィルタ２２３及び２２４とを通過した空気中の匂いを取り除く。
【００７８】
前記フィルタバスケット２２８のバスケット本体２２９には、取付空間２２９ｓが設けられる。前記取付空間２２９ｓには、前記フィルタ２２２、２２３、２２４及び２２５が取り付けられている。前記バスケット本体２２９は、上面及び長手方向の両側面の上端縁部を除いた部分が開口されるほぼ六面体形状からなる。
【００７９】
前記バスケット本体２２９の前後面の内側と底面には、複数のガイドリブ２２９ａ、２２９ｂが設けられる。前記ガイドリブ２２９ａ、２２９ｂは、前記取付空間２２９ｓに取り付けられた前記フィルタ２２２、２２３、２２４及び２２５が互いに密着しないように所定の位置に案内する。
【００８０】
また、前記バスケット本体２２９の開口される両側面には、複数の支持リブ２２９ｃ、２２９ｄが設けられる。前記支持リブ２２９ｃ、２２９ｄは、前記バスケット本体２２９を補強すると共に前記取付空間２２９ｓに取り付けられた前記フィルタ２２２、２２３、２２４及び２２５を保護する。
【００８１】
図２を参照して、前記バスケットドア２２６は、後述するデコハウジング２５０のバスケットドア取付段２５９ｂに対応する形状及び大きさで形成される。また、前記バスケットドア２２６は、後述するフィルタ貫通開口２５２を選択的に開閉する。このために、前記バスケットドア２２６は、前記フィルタバスケット２２８に取り付けられた状態で引き出し式に引き出される。
【００８２】
そして、図７及び図８に示すように、前記バスケットドア２２６の裏面には、締付ボックス２７２が設けられる。前記締付ボックス２７２は、前記バスケットドア２２６とフィルタバスケット２２８とを締め付けるためのものである。前記締付ボックス２７２は、後面が開口される六面体形状であって、前記バスケットドア２２６の裏面から後方に向けて突出している。
【００８３】
前記締付ボックス２７２の下部と両側には、締付フック２７３、２７４が設けられる。前記締付フック２７３、２７４は、弾性変形可能に形成される。図示の実施例では、相対的に前記バスケットドア２２６の裏面に隣接する前記締付ボックス２７２の下部及び両側前端部が切り欠かれ、前記締付フック２７３、２７４が設けられる。すなわち、前記締付フック２７３、２７４は、その基底部が前記締付ボックス２７２の後端に連結された状態でその先端が前記バスケットドア２２６の裏面向きに延びている。よって、前記締付ボックス２７２の下部に設けられる締付フック２７３は、上下に弾性変形可能となる。また、前記締付ボックス２７２の両側に設けられる締付フック２７４は、左右に弾性変形可能となる。
【００８４】
また、前記締付フック２７３、２７４の先端には、係止突起２７３ａ、２７４ａがそれぞれ設けられる。前記係止突起２７３ａ、２７４ａには、後述する締付片２７７がそれぞれ係止される。前記締付ボックス２７２の下部に設けられる締付フック２７３の係止突起２７３ａは、前記締付フック２７３の上面の先端から上方に突出している。また、前記締付ボックス２７２の両側に設けられる締付フック２７４の係止突起２７４ａは、前記締付フック２７４の一面から互いに対向する方向にそれぞれ突出している。
【００８５】
前記係止突起２７３ａ、２７４ａの一側には、案内面２７３ｂ、２７４ｂがそれぞれ形成される。前記案内面２７３ｂ、２７４ｂは、前記締付片２７７を案内するためのものである。前記締付ボックス２７２の下部に設けられる締付フック２７３の案内面２７３ｂは、前記締付ボックス２７２の後方に向けて下向きに傾斜して形成される。また、前記締付ボックス２７２の両側に設けられる締付フック２７４の案内面２７４ｂは、前記締付ボックス２７２の後方に向けて互いに離れる方向に傾斜して形成される。
【００８６】
そして、前記締付ボックス２７２の内部には、一対の密着リブ２７５が設けられる。前記密着リブ２７５は、前記締付フック２７３、２７４に係止される締付片２７７の前面にその先端が密着される。図８に示すように、前記密着リブ２７５は、それぞれの一側が前記締付ボックス２７２の両側内側面に一体に成形される。前記密着リブ２７５の長さは、その先端が前記締付フック２７４の先端から締付片２７７の厚さに該当する距離だけ離隔するように決定される。
【００８７】
一方、前記バスケットドア２２６の裏面に対応する前記フィルタバスケット２２８の前面には、締付部２７６が設けられる。前記締付部２７６は、前記フィルタバスケット２２８の前面から水平に前方向きに延びている。前記締付部２７６は、その上面が前記締付ボックス２７２の上部の内側面に密着される。
【００８８】
前記締付部２７６の先端には、締付片２７７が設けられる。前記締付片２７７は、前記締付フック２７３、２７４に締め付けられた状態で前記密着リブ２７５に密着される。前記締付片２７７は、前記締付部２７６の先端から垂直に下方向きに延びている。
【００８９】
前記締付フック２７３、２７４に締め付けられる過程で前記締付片２７７の縁部は、前記案内面２７３ｂ、２７４ｂにより案内される。また、前記締付フック２７３、２７４に締め付けられた状態では、前記締付片２７７の裏面の縁部に前記係止突起２７３ａ、２７４ａが密着される。このとき、前記締付片２７７の前面一側には、前記密着リブ２７５が密着される。
【００９０】
前記バスケットドア２２６は、前記フィルタバスケット２２８に締め付けられた状態でフィルタバスケット２２８に対して上下または左右に移動可能となる。これは、前記フィルタバスケット２２８が前記フィルタケース２１６の内部に取り付けられた状態で、前記バスケットドア２２６が前記フィルタケース２１６の前面、すなわち、後述するバスケットドア取付段２５９ｂに正確に取り付けられるようにするためである。
【００９１】
これをより詳しく説明すると、前記締付部２７６が前記締付ボックス２７２の上部の内側面に密着され、前記締付片２７７が前記締付フック２７３、２７４にそれぞれ係止された状態で、前記締付片２７７の先端は、前記締付ボックス２７２の下部の内側面から所定の距離だけ離隔される。また、このような状態で前記締付部２７６と締付片２７７との両端は、前記締付ボックス２７２の両側の内側面から所定の距離だけ離隔される。
【００９２】
前記締付部２７６と締付片２７７とを補強するために、補強片２７８が設けられる。前記補強片２７８は、互いに隣接する二辺が前記締付部２７６の底面と前記締付片２７７の内側面とにそれぞれ連結される。このとき、前記補強片２７８は、前記締付部２７６と締付片２７７との両端から所定の距離だけ離隔された両者の内側面に連結される。
【００９３】
図９及び図１０に示すように、前記フィルタバスケット２２８の取り付けられる前記フィルタケース２１６の底面には、ガイド溝２８４が設けられる。前記ガイド溝２８４は、前記フィルタバスケット２２８の着脱を案内している。前記ガイド溝２８４は、前記フィルタケース２１６の底面の一部が前記フィルタバスケット２２８の下端に対応する左右幅を有するように下方に窪んで前後方に長く形成される。
【００９４】
また、前記ガイド溝２８４の内部に該当する前記フィルタケース２１６の底面には、一対の支持レール２８５がそれぞれ設けられる。前記支持レール２８５は、前記フィルタバスケット２２８の底面を支持している。前記支持レール２８５は、前記ガイド溝２８４と同様に前記フィルタバスケット２２８の着脱方向に長く形成される。かつ、前記支持レール２８５の高さは、前記フィルタバスケット２２８が支持された状態で水平となる範囲で決定される。図示の実施例では、前記支持レール２８５の高さが、前記ガイド溝２８４のそれに比べて相対的に低く形成される。
【００９５】
一方、図２を参照して、前記送風ケース２１２の内部には、送風装置２３０が設けられる。前記送風装置２３０は、前記吸込口Ｉを介して空気を吸込み、前記フィルタ部２２０で浄化された空気を前記吐出口Ｏを介して外部に吐出させる。
【００９６】
このような前記送風装置２３０は、クロスフローファン（図示せず）と、ファンハウジング２３２と、駆動モータＭ１とから構成される。前記クロスフローファンは、その後方に吸込まれた空気を前方に吐出させる。また、前記ファンハウジング２３２の内部には、前記クロスフローファンが設けられる。前記駆動モータＭ１は、前記クロスフローファンを駆動させる。
【００９７】
前記ファンハウジング２３２は、前記クロスフローファンの形状に対応して左右に長く形成される。また、前記ファンハウジング２３２の後面には、前記吸込口Ｉを介して吸い込まれる空気が流入する流入部（図示せず）が設けられる。前記ファンハウジング２３２の前面には、前記流入部を介してファンハウジング２３２の内部に流入され、前記クロスフローファンにより加圧された空気が排出される排出部２３２ａが設けられる。
【００９８】
図１１の（ａ）及び（ｂ）に示すように、前記ファンハウジング２３２を支持するために、一対の側面ガイド部２１３と、複数の底面支持部２１４とが設けられる。前記側面ガイド部２１３は、前記送風ケース２１２の底面に垂直に突出している。また、前記側面ガイド部２１３は、前記ファンハウジング２３２の両側面の下端及びこれに隣接する前後面の下端の一部に密着するように互いに対向するほぼ「コ」字状からなっている。
【００９９】
前記底面支持部２１４は、前記側面ガイド部２１３の間に該当する前記送風ケース２１２の底面に設けられる。前記底面支持部２１４には、前記側面ガイド部２１３に両側面及び前後面の一部が密着した前記ファンハウジング２３２の底面が支持される。このために、前記底面支持部２１４は、前記側面ガイド部２１３に比べて相対的に低く形成される。
【０１００】
一方、前記側面ガイド部２１３の少なくとも何れか一方には、取り付け溝２１３ａが設けられる。前記取り付け溝２１３ａは、前記ファンハウジング２３２の一側面に固定される前記駆動モータＭ１が取り付けられている。前記取り付け溝２１３ａは、前記側面ガイド部２１３の一部が前記駆動モータＭ１の下端に対応する形状に切り欠かれることにより形成される。
【０１０１】
前記ファンハウジング２３２の両端縁部には、振動吸収部２１５が設けられる。前記振動吸収部２１５は、前記送風装置２３０の動作中に発生する振動を吸収する。このために、前記振動吸収部２１５は、所定の弾性を有する材質からなる。前記振動吸収部２１５は、前記送風ケース２１２の天井と前記側面ガイド部２１３及び底面支持部２１４とに密着している。
【０１０２】
一方、図２に示すように、前記送風ケース２１２の内部には、エアガイド２３４が設けられる。前記エアガイド２３４は、前記送風ケース２１２の内部を吸込み流路Ａと吐出流路Ｂとを仕切っている。前記吸込み流路Ａにより前記吸込口Ｉを介して吸い込まれる空気が前記ファンハウジング２３２の流入部に案内される。また、前記吐出流路Ｂにより前記ファンハウジング２３２の排出部を介して排出される空気が前記吐出口Ｏに案内される。かつ、前記エアガイド２３４の一側には、開口部２３４ａが設けられる。前記開口部２３４ａは、前記ファンハウジング２３２の排出部と連通している。
【０１０３】
一方、前記送風ケース２１２の内部には、陰イオン発生装置２４０が設けられる。前記陰イオン発生装置２４０は、前記吐出流路Ｂの内部に位置している。前記陰イオン発生装置２４０で発生した陰イオンは、前記送風装置２３０により送風される空気と共に前記吐出口Ｏを介して外部に吐出される。
【０１０４】
図２及び図３に示すように、前記ケース２１０の前端には、デコハウジング２５０が設けられる。前記デコハウジング２５０は、前記送風ケース２１２及びフィルタケース２１６が取り付けられた状態で、前記ケース２１０の開口された前面及び前端縁部を取り囲むように前面部と、上下面部と、両側面部とから構成される。
【０１０５】
再び、図４及び図５を参照して、前記デコハウジング２５０の前面部には、前記吐出口Ｏと、ラック貫通開口２５１と、フィルタ装着開口２５２とがそれぞれ設けられる。前記吐出口Ｏは、前記吐出流路Ｂの前端に位置している。また、前記ラック貫通開口２５１を貫通して前記ラックＲが移動する。前記フィルタ装着開口２５２を介して前記バスケットドア２２６が前記フィルタケース２１６の内部に取り付けられる。
【０１０６】
また、前記ラック貫通開口２５１の一側と連通するようにフック貫通開口２５１ａが設けられる。前記ラック貫通開口２５１でのフック貫通開口２５１ａは、前記係止フックＨの形状に対応して形成される。かつ、前記係止フックＨが前記フック貫通開口２５１ａを貫通する。さらに、前記デコハウジング２５０の前面部の内側面には、ストッパーＳが設けられる。
【０１０７】
前記ストッパーＳは、前記デコパネル２１８が前記ケース２１０の前方に完全に取り外されることを防止する。前記ストッパーＳは、前記係止フックＨに対応する前記フック貫通開口２５１ａの一側から前記ケース２１０の後方に延びている。前記デコパネル２１８が前記ケース２１０の前方に移動して前記吐出口Ｏの開放された状態で、前記係止フックＨの係止突起ｈが前記ストッパーＳの先端に係止される。
【０１０８】
一方、前記ストッパーＳを除いた前記ラック貫通開口２５１及びフック貫通開口２５１ａの縁部には、ガイド部２５１ｇが設けられる。前記ガイド部２５１ｇは、前記ラックＲ及び係止フックＨの移動を案内する。前記ガイド部２５１ｇは、前記ラック貫通開口２５１及びフック貫通開口２５１ａの縁部から前記デコハウジング２５０の前面部の内側面に直交して後方に所定の長さだけ延びている。
【０１０９】
そして、前記デコハウジング２５０の前面部には、パネル取付段２５９ａと、一対のバスケットドア取付段２５９ｂ(図１５参照)とが設けられる。前記パネル取付段２５９ａと、バスケットドア取付段２５９ｂとは、それぞれ前記デコパネル２１８と、バスケットドア２２６との大きさ及び形状に対応して形成される。前記パネル取付段２５９ａには、前記吐出口Ｏが遮蔽された状態で、前記デコパネル２１８が取り付けられている。また、前記バスケットドア取付段２５９ｂには、前記フィルタバスケット２２８が前記フィルタケース２１６の内部に取り付けられた状態で、前記バスケットドア２２６が取り付けられる。
【０１１０】
図９に示すように、前記バスケットドア２２６の裏面とこれに対応する前記バスケットドア取付段２５９ｂの前面には、ラッチフック２８２とプッシュラッチ２８３とがそれぞれ設けられる。前記ラッチフック２８２とプッシュラッチ２８３とは、前記フィルタバスケット２２８が前記フィルタケース２１６の内部に取り付けられた状態で前記バスケットドア２２６を前記バスケットドア取付段２５９ｂに固定することにより、フィルタバスケット２２８が勝手に取り外されることを防止する。
【０１１１】
図示の実施例では、前記バスケットドア２２６の裏面に前記ラッチフック２８２が設けられ、これに対応する前記バスケットドア取付段２５９ｂの前面に前記プッシュラッチ２８３が設けられる。前記ラッチフック２８２は、前記バスケットドア２２６をその裏面が前記バスケットドア取付段２５９ｂの前面に密着される方向、すなわち、図９で図中の右側に押す動作により、前記プッシュラッチ２８３に挿入されて固定される。このような状態で前記バスケットドア２２６をこれと同じ図中の右側に押す動作により、前記ラッチフック２８２が前記プッシュラッチ２８３から取り外される。
【０１１２】
そして、前記フィルタケース２１６の内部の後面には、弾性レバー２８６が設けられる。前記弾性レバー２８６は、前記フィルタバスケット２２８が取り外される方向、すなわち、図９で図中の左側に向ける弾性力をフィルタバスケット２２８に与えている。このために、前記フィルタバスケット２２８が前記フィルタケース２１６に取り付けられた状態では、前記弾性レバー２８６が前記フィルタバスケット２２８により後方に押されて圧縮された状態となる。
【０１１３】
また、図２及び図３を参照して、前記デコハウジング２５０の上下面には、複数の締付片２５４が設けられる。前記締付片２５４には、締付穴２５４ａがそれぞれ設けられる。かつ、前記デコハウジング２５０を前記ケース２１０に固定するための締付具（図示せず）が前記締付穴２５４ａを貫通している。
【０１１４】
前記吐出口Ｏとフィルタ装着開口２５２との間に該当する前記デコハウジング２５０の前面部の一側には、操作部２５６が設けられる。前記操作部２５６は、前記空気清浄機２００の動作のための操作信号の入力を受ける。
【０１１５】
図３に示すように、前記デコハウジング２５０の下面の後端には、取り付けフランジ２５３が設けられる。前記取り付けフランジ２５３は、前記ケース２１０の前端から所定の距離だけ後方に位置している。
【０１１６】
そして、前記取り付けフランジ２５３の一側には、締付穴２３５が設けられる。前記締付穴２３５には、表示部２５８が取り付けられる。前記表示部２５８は、前記空気清浄機２００の動作に関する各種の情報を外部に表示する。
【０１１７】
前記表示部２５８は、その前面が前記本体２０及び前記取り付けフランジ２５３の前面と同じ平面上に位置するように設けられる。よって、前記本体２０に設けられるドア２２の開放状態では、前記表示部２５８が外部に露出される。しかし、前記ドア２２の閉鎖状態では、前記表示部２５８が外部に露出されなくなる。
【０１１８】
また、前記空気清浄機２００の前面の外観の統一感を与えるために、前記デコパネル２１８と、バスケットドア２２６と、デコハウジング２５０とは、同じ材質から形成されることが好ましい。例えば、前記デコパネル２１８と、バスケットドア２２６と、デコハウジング２５０とを同じエイビエス(ABS)樹脂から形成することもできる。
【０１１９】
図１２及び図１３に示すように、前記ケース２１０の内部には、複数の発光ダイオード２９２が設けられる。前記発光ダイオード２９２は、前記表示部２５８とは別に前記空気清浄機２００が動作するか否かを外部から認識できるようにする。
【０１２０】
すなわち、前記空気清浄機２００が動作すると、前記発光ダイオード２９２が発光する。よって、使用者が前記ドア２２を開けて前記表示部２５８を確認しなくても外部から前記空気清浄機２００が動作するか否かを確認することが可能となる。
【０１２１】
このような前記発光ダイオード２９２は、印刷回路基板２９３に固定される。前記印刷回路基板２９３は、ほぼ左右に長い長方形から形成される。前記印刷回路基板２９３の一面には、前記発光ダイオード２９２が所定の間隔で設けられる。また、前記印刷回路基板２９３は、前記吐出口Ｏに隣接して前記送風ケース２１２に取り付けられる。このとき、前記発光ダイオード２９２が前記空気清浄機２００の前方、すなわち、前記吐出口Ｏに向けるようになる。
【０１２２】
前記送風ケース２１２の底面には、前記印刷回路基板２９３を固定するために、複数の挿入片２９４、２９５が設けられる。前記挿入片２９４、２９５は、前記送風ケース２１２の底面に前記吐出口Ｏと平行な一直線からなる。前記送風ケース２１２と一体に成形されることが好ましい。前記挿入片２９４、２９５には、前記印刷回路基板２９３の下端が挿入される。
【０１２３】
前記挿入片２９４、２９５は、中央挿入片２９４と、端部挿入片２９５とから構成される。前記中央挿入片２９４には、前記印刷回路基板２９３の下端の中央部が挿入される。また、前記端部挿入片２９５には、前記印刷回路基板２９３の両側端部がそれぞれ挿入される。
【０１２４】
前記中央挿入片２９４の内部には、上方及び両側に開口される挿入溝２９６が設けられる。また、前記端部挿入片２９５の内部には、上方及び互いに対向する一側に開口される挿入溝２９７がそれぞれ設けられる。
【０１２５】
また、前記挿入溝２９６、２９７の一側に該当する前記挿入片２９４、２９５の内部には、密着突起２９６ａ、２９７ａが設けられる。前記密着突起２９６ａ、２９７ａは、前記印刷回路基板２９３が前記挿入溝２９６、２９７に挿入された状態から勝手に取り外されることを防止する。このために、前記密着突起２９６ａ、２９７ａは、前記挿入溝２９６、２９７の一側から他側に向けてそれぞれ突出している。
【０１２６】
そして、前記密着突起２９６ａ、２９７ａの上面には、案内面２９６ｂ、２９７ｂが形成される。前記案内面２９６ｂ、２９７ｂは、前記印刷回路基板２９３が前記挿入溝２９６、２９７に容易に挿入されるようにしている。図示の実施例では、前記案内面２９６ｂ、２９７ｂが直線の傾斜面から形成される。
【０１２７】
一方、前記吐出口Ｏと、発光ダイオード２９２との間には、遮蔽板２９８が設けられる。前記遮蔽板２９８は、前記空気清浄機２００の動作により発光する前記発光ダイオード２９２の光が前記吐出口Ｏを介して前方に直接伝達されることを防止する。前記遮蔽板２９８は、ほぼ前記印刷回路基板２９３に対応する形状及び大きさで形成される。前記遮蔽板２９８は、前記送風ケース２１２と一体に成形してもよい。
【０１２８】
図３に示すように、前記空気清浄機２００を前記本体２０に取り付けるために、取付ブラケット２６０が設けられる。前記取付ブラケット２６０には、図１４に示すように、一対の固定部２６２と、結合部２６４とが設けられる。前記固定部２６２は、前記ケース２１０の底面に固定される。また、前記結合部２６４は、前記本体２０の上面に結合される。前記取付ブラケット２６０は、前記固定部２６２に対する前記結合部２６４の弾性により前記空気清浄機２００を前記本体２０の上面に取り付ける。
【０１２９】
前記固定部２６２は、前記結合部２６４の両端に設けられる。また、前記固定部２６２には、それぞれ締付穴２６３が設けられる。前記取付ブラケット２６０が前記ケース２１０の取付部２１２ａ、２１６ａに取り付けられた状態で前記締付穴２６３を貫通したスクリュー（図示せず）が前記取付部２１２ａ、２１６ａに設けられる締付穴（図示せず）に締め付けられる。
【０１３０】
前記結合部２６４は、前記固定部２６２に対して所定の角度で傾斜して形成される。また、前記結合部２６４には、通過穴２６５と結合スリット２６６とが設けられる。前記通過穴２６５は、前記本体２０の上面に固定される結合ピンＰのヘッド部Ｐｈに対応する形状から形成される。前記結合スリット２６６は、前記通過穴２６５と連通している。
【０１３１】
前記結合ピンＰのヘッド部Ｐｈが前記通過穴２６５を貫通した状態で前記結合ピンＰのボディ部Ｐｈが前記結合スリット２６６に沿って移動する。このとき、前記ヘッド部Ｐｈが前記結合部２６４を押圧する弾性により、前記結合部２６４が前記本体２０の上面に結合される。
【０１３２】
以下に、このように構成される本発明による空気清浄機を備えた冷蔵庫の作用を説明する。
本発明による空気清浄機を備えた冷蔵庫の好ましい実施例における空気清浄機を冷蔵庫本体の上面に取り付ける過程を説明する。
【０１３３】
先ず、前記ケース２１０の取付部２１２ａ、２１６ａに前記取付ブラケット２６０を取り付ける。また、前記取付ブラケット２６０の固定部２６２を前記ケース２１０の底面に固定する。
次に、前記本体２０の上面に設けられる結合ピンＰを前記取付ブラケット２６０の結合部２６４に結合させる。よって、前記空気清浄機２００が前記本体２０の上面に取り付けられる。また、前記ケース２１０の支持部２１６ｂが前記本体２０の上面に密着され、前記空気清浄機２００が支持される。
【０１３４】
一方、このように冷蔵庫本体に取り付けられる空気清浄機の動作過程を添付図面を参照してより詳しく説明する。
図１５には、本発明による空気清浄機を備えた冷蔵庫の好ましい実施例に備えられる空気清浄機の内部で空気が流動する状態を示している。
【０１３５】
図示のように、先ず、前記操作部２５６を操作して前記空気清浄機２００を動作させる操作信号を入力する。このように、操作信号が入力されると、前記ステップモータＭにより前記ギアＧ１が回転する。また、前記ギアＧ１に歯合している前記ラックＲが前記ラック貫通開口２５１を貫通して移動する。よって、前記デコパネル２１８が前記ケース２１０の前方に移動して前記吐出口Ｏが開放される。
【０１３６】
このとき、前記係止フックＨも前記フック貫通開口２５１ａを貫通して、前記ケース２１０の前方に移動する。また、前記係止フックＨが所定の距離だけ移動すると、前記係止フックＨの係止突起ｈが前記ストッパーＳの先端に密着される。よって、前記デコパネル２１８がそれ以上前記ケース２１０の前方に移動しなくなる。
【０１３７】
そして、前記送風装置２３０が動作する。よって、前記吸込口Ｉを介して前記ケース２１０の内部に空気が吸い込まれる。このとき、前記吸込口Ｉを介して吸い込まれる空気は、前記吸込グリルＧの篩網により空気中のごみの中で相対的に大きいごみが篩い分けられる。また、このように、前記吸込グリルＧを通過した空気は、前記フィルタ２２２、２２３、２２４及び２２５を順次通過しながら浄化される。
【０１３８】
前記フィルタ２２２、２２３、２２４及び２２５を順次通過しながら浄化された空気は、前記吸込み流路Ａにより前記送風装置２３０に案内される。このとき、浄化された空気は、前記ファンハウジング２３２の後面の流入部を介して流入される。
【０１３９】
一方、前記送風装置２３０の継続的な駆動により、前記ファンハウジング２３２の流入部に流入された空気は、ファンハウジング２３２の排出部２３２ａに排出される。また、前記排出部２３２ａに排出される空気は、再び、前記吐出流路Ｂにより案内され、前記吐出口Ｏを介して外部に吐出される。このとき、前記吐出口Ｏを介して、前記陰イオン発生装置２４０で発生した陰イオンと共に、浄化された空気が吐出される。
【０１４０】
また、前記吐出口Ｏを介して吐出される空気は、前記デコパネル２１８の裏面により案内される。よって、前記吐出口Ｏを介して吐出される空気は、前記デコパネル２１８により上方または下方に向けて吐出される。
【０１４１】
ところで、前記ファンハウジング２３２の流入部及び排出部２３２ａは、それぞれ左右に長く形成されるファンハウジング２３２の後面と前面とに設けられる。よって、前記吸込口Ｉを介して吸込まれた空気が前記ファンハウジング２３２の流入部に流入される流路が相対的に短くなり、また、前記ファンハウジング２３２の排出部２３２ａを介して相対的に広い面積に空気が排出される。すなわち、本発明では、前記送風装置２３０による空気の流動がより効率的に行われる。
【０１４２】
一方、前記空気清浄機２００が動作すると、前記発光ダイオード２９２が発光することになる。このような前記発光ダイオード２９２の光は、前記吐出口Ｏとデコパネル２１８との間の隙間を介して外部に伝達される。このとき、前記発光ダイオード２９２の光は、前記遮蔽板２９８により前記吐出口Ｏを介して室内に直接伝達されることが防止される。よって、前記発光ダイオード２９２の光により、使用者にとって眩しさが起きることを防止することが可能となる。
【０１４３】
そして、前記発光ダイオード２９２が設けられる前記印刷回路基板２９３は、前記挿入片２９４、２９５の挿入溝２９６、２９７に挿入される。このとき、前記印刷回路基板２９３の一面は、前記密着突起２９６ａ、２９７ａにより押圧される。よって、前記印刷回路基板２９３が前記挿入片２９４、２９５に挿入された状態から勝手に取り外されることが防止される。
【０１４４】
また、前記ファンハウジング２３２と、前記側面ガイド部２１３及び底面支持部２１４との間に設けられる振動吸収部２１５により前記送風装置２３０の動作により発生する振動が吸収される。特に、前記ファンハウジング２３２が前記底面支持部２１４に支持される。すなわち、前記送風ケース２１２と、ファンハウジング２３２とが密着される面積を最小化することができる。よって、前記送風装置２３０の振動が前記ケース２１０及び冷蔵庫本体２０を介して外部に伝達されて騒音が発生したり、製品の耐久性が低下したりすることはなくなる。
【０１４５】
一方、前記空気清浄機２００の動作を停止させるために、前記操作部２５６を操作して操作信号を入力する。このように入力された操作信号により、前記送風装置２３０の動作が停止される。よって、前記吸込口Ｉを介した空気の吸込み及び前記吐出口Ｏを介して空気の吐出が行われなくなる。
【０１４６】
このとき、前記ステップモータＭが上述した前記デコパネル２１８を前記ケース２１０の前方に移動させるために、駆動する方向と反対方向に駆動する。また、これによる前記ギアＧ１の回転により前記ラックＲが前記ラック貫通開口２５１を介して前記ケース２１０の内部に移動する。よって、前記デコパネル２１８が前記ケース２１０の後方に移動して前記吐出口Ｏを遮蔽することになる。
【０１４７】
フィルタバスケットの内部に取り付けられるフィルタを取り替えるための過程をより詳しく説明する。
【０１４８】
前記フィルタ２２２、２２３、２２４及び２２５を取り替えたり、洗浄したりするためには、前記フィルタバスケット２２８を前記フィルタケース２１６に取り付けられた状態から取り外さなければならない。このために、前記バスケットドア２２６を前記バスケットドア取付段２５９ｂに密着される方向に押圧する。よって、前記ラッチフック２８２が前記プッシュラッチ２８３に挿入された状態から取り外される。
【０１４９】
このとき、前記フィルタバスケット２２８は、前記フィルタケース２１６の内部の後面に設けられる前記弾性レバー２８６から弾性力を与えられることになる。よって、前記フィルタバスケット２２８が前記フィルタケース２１６の前方に移動して前記フィルタケース２１６から取り外される。また、このように取り外される過程で、前記フィルタバスケット２２８は、前記ガイド溝２８４により案内される。また、前記フィルタバスケット２２８の底面は、前記支持レール２８５に支持された状態でスライドすることになる。
【０１５０】
次に、前記フィルタバスケット２２８に取り付けられた前記フィルタ２２２、２２３、２２４及び２２５を取り外す。また、前記フィルタ２２２、２２３、２２４及び２２５を新しいものに取り替えたり、洗浄したりして前記フィルタバスケット２２８に再び取り付ける。また、前記フィルタバスケット２２８を前記フィルタ貫通開口２５２を介して押し込む。よって、前記フィルタバスケット２２８が前記フィルタケース２１６の内部に再び取り付けられる。
【０１５１】
そして、前記バスケットドア２２６を前記バスケットドア取付段２５９ｂに密着される方向に押圧する。よって、前記ラッチフック２８２が前記プッシュラッチ２８３に挿入され、前記バスケットドア２２６が前記バスケットドア取付段２９６ｂに固定される。このとき、前記弾性レバー２８６は、前記フィルタバスケット２２８により前記フィルタケース２１６の後方に圧縮される。すなわち、前記弾性レバー２８６により前記フィルタバスケット２２８には、前記フィルタケース２１６の前方に向ける弾性力が与えられる。
【０１５２】
一方、前記バスケットドアと、フィルタバスケットとを締め付ける過程をより詳しく説明する。
先ず、前記締付ボックス２７２の内部に前記締付部２７６と締付片２７７とを挿入する。このとき、前記締付部２７６は、その上面が前記締付ボックス２７２の上部の内側面に密着される。また、前記締付片２７７は、前記締付フック２７３、２７４をそれぞれ下方や両側に弾性移動させながら締付フック２７３、２７４に締め付けられる。また、前記締付片２７７の前面には、前記密着リブ２７５が密着される。
【０１５３】
一方、前記バスケットドア２２６は、前記フィルタバスケット２２８に締め付けられた状態で上下左右に移動可能となる。よって、前記フィルタバスケット２２８に対して前記バスケットドア２２６を上下または左右に移動させることが可能となる。すなわち、前記フィルタバスケット２２８が前記フィルタケース２１６の内部に取り付けられた状態で前記フィルタケース２１６に対する前記バスケットドア２２６の相対位置を補正することが可能となる。よって、前記バスケットドア２２６が前記バスケットドア取付段２５９ｂの正確な位置に取り付けることが可能となる。
【０１５４】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【０１５５】
【図１】従来の技術による空気清浄機を備えた冷蔵庫を構成する空気清浄機のカバーを取り外してその内部を示す分解斜視図である。
【図２】本発明による空気清浄機を備えた冷蔵庫の好ましい実施例を構成する空気清浄機のカバーを取り外してその内部を示す斜視図である。
【図３】図２に示す実施例を構成する空気清浄機の底面を示す斜視図である。
【図４】図２に示す実施例を構成するデコパネルがケースに連結される構造を示す平面図である。
【図５】図４に示すラック貫通開口とフック貫通開口とを備えたデコハウジングの一部を示す斜視図である。
【図６】図２に示す実施例を構成するフィルタとフィルタバスケットとを示す分解斜視図である。
【図７】図２に示す実施例を構成するフィルタバスケットとバスケットドアとが取り付けられる構造を分解して示す側断面図である。
【図８】図２に示す実施例を構成するフィルタバスケットとバスケットドアとが取り付けられる構造を分解して示す横側断面図である。
【図９】図２に示す実施例を構成するフィルタバスケットがケース内部に取り付けられる構造を示す側断面図である。
【図１０】図９のＡ−Ａ'線断面図である。
【図１１ａ】図２に示す実施例を構成するファンハウジングがケースに取り付けられる構造を示す一方の側の側面図である。
【図１１ｂ】図２に示す実施例を構成するファンハウジングがケースに取り付けられる構造を示す他方の側面図である。
【図１２】図２に示す実施例を構成する発光ダイオードと印刷回路基板とがケース内部に取り付けられた構造を示す平面図である。
【図１３】図１２のＢ−Ｂ'線断面図である。
【図１４】図３に示す取付ブラケットを示す斜視図である。
【図１５】図２に示す実施例に備えられる空気清浄機の内部で空気が流動する状態を示す空気流れ図である。
【符号の説明】
【０１５６】
２０    冷蔵庫本体
２００    空気清浄機
２１０    ケース
２１２    送風ケース
２１２ａ    締付部
２１２ｂ    締付ボス
２１６    フィルタケース
２１７    締付片
２５０    デコハウジング
２６０    取付ブラケット
【図１】
2006023075.tif 000003
【図２】
2006023075.tif 000004
【図３】
2006023075.tif 000005
【図４】
2006023075.tif 000006
【図５】
2006023075.tif 000007
【図６】
2006023075.tif 000008
【図７】
2006023075.tif 000009
【図８】
2006023075.tif 000010
【図９】
2006023075.tif 000011
【図１０】
2006023075.tif 000012
【図１１ａ】
2006023075.tif 000013
【図１１ｂ】
2006023075.tif 000014
【図１２】
2006023075.tif 000015
【図１３】
2006023075.tif 000016
【図１４】
2006023075.tif 000017
【図１５】
2006023075.tif 000018